(57)【特許請求の範囲】
【請求項１】
光送信装置（１１０）と光受信装置（１４０）とからなるデータ伝送システムであって、
当該光送信装置（１１０）が、
パルス光源（１１４）と、
当該パルス光源の出力光を分波し、パイロット信号光とデータ搬送用の第１及び第２の光キャリアを出力する第１の光分波器（１１８）と、
当該第１の光キャリアをデータ変調し、第１の被変調波を出力する第１のデータ変調器（１２２−１）と、
当該第２の光キャリアを当該光源のコヒーレンス時間を越える所定時間遅延する光遅延手段（１２０−１）と、
当該光遅延手段の出力光をデータ変調し、第２の被変調波を出力する第２のデータ変調器（１２２−２）と、
当該パイロット信号光、当該第１の被変調波及び第２の被変調波を多重する多重装置であって、当該パイロット信号光を時間軸上の第１のタイムスロットに配置し、当該第１の被変調波及び第２の被変調波を、当該第１のタイムスロットとは異なる第２のタイムスロットに重ねて配置する多重装置（１２６−１，１２６−２，１２８）
とを具備し、
当該光受信装置（１４０）が、
光伝送路からの受信光から当該第１のタイムスロット上の当該パイロット信号光と、当該第２のタイムスロット上の当該第１の被変調波及び第２の被変調波を分離する分離装置（１４４）と、
当該分離装置で分離された当該第１のタイムスロット上のパイロット信号光の、当該第１の光キャリアに相当する時間部分と、当該第２のタイムスロット上の当該第１の被変調波及び第２の被変調波とを干渉させて、当該第１の被変調波で搬送されるデータを復調する第１の復調装置（１４８，１６４−１）と、
当該分離装置で分離された当該第１のタイムスロット上のパイロット信号光の、当該光遅延手段（１２０−１）の出力光に相当する時間部分と、当該第２のタイムスロット上の当該第１の被変調波及び第２の被変調波とを干渉させて、当該第２の被変調波で搬送されるデータを復調する第２の復調装置（１５４，１６４−２）
とを具備することを特徴とするデータ伝送システム。
【請求項２】
パルス光源（１１４）の出力光を分波し、パイロット信号光とデータ搬送用の第１及び第２の光キャリアを出力する第１の光分波ステップ（１１８）と、
当該第１の光キャリアをデータ変調し、第１の被変調波を出力する第１のデータ変調ステップ（１２２−１）と、
当該第２の光キャリアを当該光源のコヒーレンス時間を越える所定時間遅延する光遅延ステップ（１２０−１）と、
当該光遅延ステップによる遅延光をデータ変調し、第２の被変調波を出力する第２のデータ変調ステップ（１２２−２）と、
当該パイロット信号光、当該第１の被変調波及び第２の被変調波を多重する多重ステップであって、当該パイロット信号光を時間軸上の第１のタイムスロットに配置し、当該第１の被変調波及び第２の被変調波を、当該第１のタイムスロットとは異なる第２のタイムスロットに重ねて配置する多重ステップ（１２６−１，１２６−２，１２８）と、
当該多重ステップによる合波光を光伝送路に出力するステップと、
当該光伝送路からの受信光から当該第１のタイムスロット上の当該パイロット信号光と、当該第２のタイムスロット上の当該第１の被変調波及び第２の被変調波を分離する分離ステップ（１４４）と、
当該分離ステップで分離された当該第１のタイムスロット上のパイロット信号光の、当該第１の光キャリアに相当する時間部分と、当該第２のタイムスロット上の当該第１の被変調波及び第２の被変調波とを干渉させて、当該第１の被変調波で搬送されるデータを復調する第１の復調ステップ（１４８，１６４−１）と、
当該分離ステップで分離された当該第１のタイムスロット上のパイロット信号光の、当該光遅延ステップ（１２０−１）の出力光に相当する時間部分と、当該第２のタイムスロット上の当該第１の被変調波及び第２の被変調波とを干渉させて、当該第２の被変調波で搬送されるデータを復調する第２の復調ステップ（１５４，１６４−２）
とを具備することを特徴とするデータ伝送方法。
【請求項３】
光送信装置（１１０ａ）と光受信装置（１４０ａ）とからなるデータ伝送システムであって、
当該光送信装置（１１０ａ）が、
パルス光源（１１４）と、
当該パルス光源の出力パルス光を分波し、第１、第２及び第３の分波パルス光を出力する光分波器（１１８ａ）と、
当該第２の分波パルス光からコヒーレンス時間より長い所定時間分の前側部分を除去したパルス後側部分を第１の光キャリアとして出力する第１のゲート回路（１７０）と、
当該第３の分波パルス光から当該所定時間分の後側部分を除去したパルス前側部分を第２の光キャリアとして、当該第１の光キャリアと同タイミングで出力する第２のゲート回路（１７２，１７４）と、
当該第１の光キャリアをデータ変調し、第１の被変調波を出力する第１のデータ変調器（１２２−１）と、
当該第２の光キャリアをデータ変調し、第２の被変調波を出力する第２のデータ変調器（１２２−２）と、
当該第１の分波パルス光、当該第１の被変調波及び第２の被変調波を多重する多重装置であって、当該第１の分波パルス光をパイロット信号光として時間軸上の第１のタイムスロットに配置し、当該第１の被変調波及び第２の被変調波を、当該第１のタイムスロットとは異なる第２のタイムスロットに重ねて配置する多重装置（１２６−１，１２６−２，１２８）
とを具備し、
当該光受信装置（１４０ａ）が、
光伝送路からの受信光から当該第１のタイムスロット上のパイロット信号光と、当該第２のタイムスロット上の当該第１の被変調波及び第２の被変調波を分離する分離装置（１４４）と、
当該分離装置で分離された当該第１のタイムスロット上のパイロット信号光から当該第１の光キャリアに相当する光パルス部分を切り出し、当該第２のタイムスロット上の当該第１の被変調波及び第２の被変調波と同じタイミングで出力する第３のゲート回路（１４８，１８０−１）と、
当該分離装置で分離された当該第１のタイムスロット上のパイロット信号光から当該第２の光キャリアに相当する光パルス部分を切り出し、当該第２のタイムスロット上の当該第１の被変調波及び第２の被変調波と同じタイミングで出力する第４のゲート回路（１５４ａ，１８０−２）と、
当該第３のゲート回路の出力光と、当該分離装置で分離された当該第１の被変調波及び第２の被変調波とを干渉させて、当該第１の被変調波で搬送されるデータを復調する第１の復調装置（１６４−１）と、
当該第４のゲート回路の出力光と、当該分離装置で分離された当該第１の被変調波及び第２の被変調波とを干渉させて、当該第２の被変調波で搬送されるデータを復調する第２の復調装置（１６４−２）
とを具備することを特徴とするデータ伝送システム。
【請求項４】
パルス光源（１１４）の出力パルス光を分波し、第１、第２及び第３の分波パルス光を出力する光分波ステップ（１１８ａ）と、
当該第２の分波パルス光からコヒーレンス時間より長い所定時間分の前側部分を除去したパルス後側部分を第１の光キャリアとして出力する第１のゲートステップ（１７０）と、
当該第３の分波パルス光から当該所定時間分の後側部分を除去したパルス前側部分を第２の光キャリアとして、当該第１の光キャリアと同タイミングで出力する第２のゲートステップ（１７２，１７４）と、
当該第１の光キャリアをデータ変調し、第１の被変調波を出力する第１のデータ変調ステップ（１２２−１）と、
当該第２の光キャリアをデータ変調し、第２の被変調波を出力する第２のデータ変調ステップ（１２２−２）と、
当該第１の分波パルス光、当該第１の被変調波及び第２の被変調波を多重する多重ステップであって、当該第１の分波パルス光をパイロット信号光として時間軸上の第１のタイムスロットに配置し、当該第１の被変調波及び第２の被変調波を、当該第１のタイムスロットとは異なる第２のタイムスロットに重ねて配置する多重ステップ（１２６−１，１２６−２，１２８）と、
当該多重ステップによる合波光を光伝送路に出力するステップと、
当該光伝送路からの受信光から当該第１のタイムスロット上のパイロット信号光と、当該第２のタイムスロット上の当該第１の被変調波及び第２の被変調波を分離する分離ステップ（１４４）と、
当該分離ステップで分離された当該第１のタイムスロット上のパイロット信号光から当該第１の光キャリアに相当する光パルス部分を切り出し、当該第２のタイムスロット上の当該第１の被変調波及び第２の被変調波と同じタイミングで出力する第３のゲートステップ（１４８，１８０−１）と、
当該分離ステップで分離された当該第１のタイムスロット上のパイロット信号光から当該第２の光キャリアに相当する光パルス部分を切り出し、当該第２のタイムスロット上の当該第１の被変調波及び第２の被変調波と同じタイミングで出力する第４のゲートステップ（１５４ａ，１８０−２）と、
当該第３のゲートステップの出力光と、当該分離ステップで分離された当該第１の被変調波及び第２の被変調波とを干渉させて、当該第１の被変調波で搬送されるデータを復調する第１の復調ステップ（１６４−１）と、
当該第４のゲートステップの出力光と、当該分離ステップで分離された当該第１の被変調波及び第２の被変調波とを干渉させて、当該第２の被変調波で搬送されるデータを復調する第２の復調ステップ（１６４−２）
とを具備することを特徴とするデータ伝送方法。
【発明の詳細な説明】
【技術分野】
【０００１】
本発明は、データ伝送システム及び方法に関する。
【背景技術】
【０００２】
光ファイバを伝送媒体とする光伝送システムは、大容量のデータを高速に伝送でき、波長多重又は符号多重を使用することで更に大量のデータを伝送できる。光空間伝送の場合に、距離に制約があるもものの、同様に、波長多重又は符号多重により、より多くのデータを伝送できる。
【０００３】
特許文献１には、光位相変調を使用する光伝送方式で、光位相変調された信号光の復調のための参照光を偏波多重で伝送することが記載され、特許文献２には、参照光となるパイロット信号を時分割多重で伝送することが記載されている。特許文献３には、符号分割多重方式において，同一の拡散符号の位相（時間タイミング）をずらして多重化する技術が記載されている。
【特許文献１】特開２００５−１６７４７４号公報
【特許文献２】特開２００７−２３５８２１号公報
【特許文献３】特開平１１−２４３３８１号公報
【発明の開示】
【発明が解決しようとする課題】
【０００４】
従来例は、スペクトル線幅の狭い高品質のレーザ光源を前提としており、高価なシステムになりがちである。
【０００５】
また、波長多重では、多重できる波長数に限界があり、光符号多重方式では、符号化・復号装置が必要となり、複雑な構成となる。
【０００６】
本発明は、より安価な光源を使用でき、多重数の拡張も容易な光伝送システム及び方法を提示することを目的とする。
【０００７】
本発明はまた、データ搬送波が時間軸上で部分的に又は全面的に重なっても、分離して検波できるようにした光伝送システム及び方法を提示することを目的とする。
【課題を解決するための手段】
【００１０】
本発明に係るデータ伝送システムは、光送信装置と光受信装置とからなるデータ伝送システムであって、当該光送信装置が、パルス光源と、当該パルス光源の出力光を分波し、パイロット信号光とデータ搬送用の第１及び第２の光キャリアを出力する第１の光分波器と、当該第１の光キャリアをデータ変調し、第１の被変調波を出力する第１のデータ変調器と、当該第２の光キャリアを当該光源のコヒーレンス時間を越える所定時間遅延する光遅延手段と、当該光遅延手段の出力光をデータ変調し、第２の被変調波を出力する第２のデータ変調器と、当該パイロット信号光、当該第１の被変調波及び第２の被変調波を多重する多重装置であって、当該パイロット信号光を時間軸上の第１のタイムスロットに配置し、当該第１の被変調波及び第２の被変調波を、当該第１のタイムスロットとは異なる第２のタイムスロットに重ねて配置する多重装置とを具備し、当該光受信装置が、光伝送路からの受信光から当該第１のタイムスロット上の当該パイロット信号光と、当該第２のタイムスロット上の当該第１の被変調波及び第２の被変調波を分離する分離装置と、当該分離装置で分離された当該第１のタイムスロット上のパイロット信号光の、当該第１の光キャリアに相当する時間部分と、当該第２のタイムスロット上の当該第１の被変調波及び第２の被変調波とを干渉させて、当該第１の被変調波で搬送されるデータを復調する第１の復調装置と、当該分離装置で分離された当該第１のタイムスロット上のパイロット信号光の、当該光遅延手段の出力光に相当する時間部分と、当該第２のタイムスロット上の当該第１の被変調波及び第２の被変調波とを干渉させて、当該第２の被変調波で搬送されるデータを復調する第２の復調装置とを具備することを特徴とする。
【００１１】
本発明に係るデータ伝送方法は、パルス光源の出力光を分波し、パイロット信号光とデータ搬送用の第１及び第２の光キャリアを出力する第１の光分波ステップと、当該第１の光キャリアをデータ変調し、第１の被変調波を出力する第１のデータ変調ステップと、当該第２の光キャリアを当該光源のコヒーレンス時間を越える所定時間遅延する光遅延ステップと、当該光遅延ステップによる遅延光をデータ変調し、第２の被変調波を出力する第２のデータ変調ステップと、当該パイロット信号光、当該第１の被変調波及び第２の被変調波を多重する多重ステップであって、当該パイロット信号光を時間軸上の第１のタイムスロットに配置し、当該第１の被変調波及び第２の被変調波を、当該第１のタイムスロットとは異なる第２のタイムスロットに重ねて配置する多重ステップと、当該多重ステップによる合波光を光伝送路に出力するステップと、当該光伝送路からの受信光から当該第１のタイムスロット上の当該パイロット信号光と、当該第２のタイムスロット上の当該第１の被変調波及び第２の被変調波を分離する分離ステップと、当該分離ステップで分離された当該第１のタイムスロット上のパイロット信号光の、当該第１の光キャリアに相当する時間部分と、当該第２のタイムスロット上の当該第１の被変調波及び第２の被変調波とを干渉させて、当該第１の被変調波で搬送されるデータを復調する第１の復調ステップと、当該分離ステップで分離された当該第１のタイムスロット上のパイロット信号光の、当該光遅延ステップの出力光に相当する時間部分と、当該第２のタイムスロット上の当該第１の被変調波及び第２の被変調波とを干渉させて、当該第２の被変調波で搬送されるデータを復調する第２の復調ステップとを具備することを特徴とする。
【００１２】
本発明に係るデータ伝送システムは、光送信装置と光受信装置とからなるデータ伝送システムであって、当該光送信装置が、パルス光源と、当該パルス光源の出力パルス光を分波し、第１、第２及び第３の分波パルス光を出力する光分波器と、当該第２の分波パルス光からコヒーレンス時間より長い所定時間分の前側部分を除去したパルス後側部分を第１の光キャリアとして出力する第１のゲート回路と、当該第３の分波パルス光から当該所定時間分の後側部分を除去したパルス前側部分を第２の光キャリアとして、当該第１の光キャリアと同タイミングで出力する第２のゲート回路と、当該第１の光キャリアをデータ変調し、第１の被変調波を出力する第１のデータ変調器と、当該第２の光キャリアをデータ変調し、第２の被変調波を出力する第２のデータ変調器と、当該第１の分波パルス光、当該第１の被変調波及び第２の被変調波を多重する多重装置であって、当該第１の分波パルス光をパイロット信号光として時間軸上の第１のタイムスロットに配置し、当該第１の被変調波及び第２の被変調波を、当該第１のタイムスロットとは異なる第２のタイムスロットに重ねて配置する多重装置とを具備し、当該光受信装置が、光伝送路からの受信光から当該第１のタイムスロット上のパイロット信号光と、当該第２のタイムスロット上の当該第１の被変調波及び第２の被変調波を分離する分離装置と、当該分離装置で分離された当該第１のタイムスロット上のパイロット信号光から当該第１の光キャリアに相当する光パルス部分を切り出し、当該第２のタイムスロット上の当該第１の被変調波及び第２の被変調波と同じタイミングで出力する第３のゲート回路と、当該分離装置で分離された当該第１のタイムスロット上のパイロット信号光から当該第２の光キャリアに相当する光パルス部分を切り出し、当該第２のタイムスロット上の当該第１の被変調波及び第２の被変調波と同じタイミングで出力する第４のゲート回路と、当該第３のゲート回路の出力光と、当該分離装置で分離された当該第１の被変調波及び第２の被変調波とを干渉させて、当該第１の被変調波で搬送されるデータを復調する第１の復調装置と、当該第４のゲート回路の出力光と、当該分離装置で分離された当該第１の被変調波及び第２の被変調波とを干渉させて、当該第２の被変調波で搬送されるデータを復調する第２の復調装置とを具備することを特徴とする。
【００１３】
本発明に係るデータ伝送方法は、パルス光源の出力パルス光を分波し、第１、第２及び第３の分波パルス光を出力する光分波ステップと、当該第２の分波パルス光からコヒーレンス時間より長い所定時間分の前側部分を除去したパルス後側部分を第１の光キャリアとして出力する第１のゲートステップと、当該第３の分波パルス光から当該所定時間分の後側部分を除去したパルス前側部分を第２の光キャリアとして、当該第１の光キャリアと同タイミングで出力する第２のゲートステップと、当該第１の光キャリアをデータ変調し、第１の被変調波を出力する第１のデータ変調ステップと、当該第２の光キャリアをデータ変調し、第２の被変調波を出力する第２のデータ変調ステップと、当該第１の分波パルス光、当該第１の被変調波及び第２の被変調波を多重する多重ステップであって、当該第１の分波パルス光をパイロット信号光として時間軸上の第１のタイムスロットに配置し、当該第１の被変調波及び第２の被変調波を、当該第１のタイムスロットとは異なる第２のタイムスロットに重ねて配置する多重ステップと、当該多重ステップによる合波光を光伝送路に出力するステップと、当該光伝送路からの受信光から当該第１のタイムスロット上のパイロット信号光と、当該第２のタイムスロット上の当該第１の被変調波及び第２の被変調波を分離する分離ステップと、当該分離ステップで分離された当該第１のタイムスロット上のパイロット信号光から当該第１の光キャリアに相当する光パルス部分を切り出し、当該第２のタイムスロット上の当該第１の被変調波及び第２の被変調波と同じタイミングで出力する第３のゲートステップと、当該分離ステップで分離された当該第１のタイムスロット上のパイロット信号光から当該第２の光キャリアに相当する光パルス部分を切り出し、当該第２のタイムスロット上の当該第１の被変調波及び第２の被変調波と同じタイミングで出力する第４のゲートステップと、当該第３のゲートステップの出力光と、当該分離ステップで分離された当該第１の被変調波及び第２の被変調波とを干渉させて、当該第１の被変調波で搬送されるデータを復調する第１の復調ステップと、当該第４のゲートステップの出力光と、当該分離ステップで分離された当該第１の被変調波及び第２の被変調波とを干渉させて、当該第２の被変調波で搬送されるデータを復調する第２の復調ステップとを具備することを特徴とする。
【発明の効果】
【００１４】
本発明により、コヒーレンシーの低い光源を使って、多くのデータを同時に伝送できる。また、データ搬送波が時間軸上で部分的に又は全面的に重なっても、分離して検波できるので、比較的、低速の素子を利用でき、コストを低減できる。
【発明を実施するための最良の形態】
【００１５】
以下、図面を参照して、本発明の実施例を詳細に説明する。
【実施例１】
【００１６】
図１は、パイロット信号を偏波多重で伝送する本発明の一実施例の概略構成ブロック図を示す。光送信装置１０の光源１２は、直線偏波の連続光を出力する。光源１２はスペクトルの広い光源、例えば、ＡＳＥ光源である。光バンドパスフィルタ（ＯＢＰＦ）１４は、光源１２の出力光から不要な広すぎるスペクトル部分を削除する。ちなみに、ＡＳＥ光源の出力光を通過帯域幅３ｎｍで切り出した光キャリアを使い、１０Ｇｂｉｔ／ｓのデータをＰＳＫ変調で１６０ｋｍ伝送した実験において、ビット誤り率１０−７を達成できたとの報告があり、ＡＳＥ光源であっても、長距離伝搬後の過干渉性が十分に維持されている。
【００１７】
偏波ビームスプリッタ１６は、ＯＢＰＦ１４の出力光を均等な光パワーの互いに直交する偏波成分（ＴＥ波とＴＭ波）に分離し、一方の偏波成分（図示例では，ＴＥ波）を光分波器１８に供給し、他方の偏波成分（図示例では，ＴＭ波）を偏波合波器２６に供給する。
【００１８】
光分波器１８は、偏波ビームスプリッタ１６からのＴＥ波を均等パワーの４つの成分に分割する。光分波器１８で分波された第１の成分光は、位相変調器２２−１に供給される。光分波器１８で分波された第２の成分光は、遅延時間Ｔｓの光遅延器２０−２を介して位相変調器２２−２に供給される。同様に、光分波器１８で分波された第３及び第４の成分光はそれぞれ、遅延時間２Ｔｓ，３Ｔｓの光遅延器２０−３，２０−４を介して位相変調器２２−３，２２−４に供給される。位相変調器２２−１〜２２−４はそれぞれ、ＰＳＫ又はＱＰＳＫ等の光位相変調方式で、データＤ１〜Ｄ４に従い入力光を位相変調する。
【００１９】
光合波器２４は、位相変調器２２−１〜２２−４の出力光を合波する。光遅延器２０−２〜２０−４の作用により、位相変調器２２−１〜２２−４から出力される被位相変調光は、時間軸上で、一定期間以上シフトされて、多重されることになる。即ち、光合波器２４は、光遅延器２０−２〜２０−３と相まって、位相変調器２２−１〜２２−４から出力される被位相変調光を時間軸上で多重する多重装置を構成する。これらからも分かるように，光遅延器２０−２〜２０−４は、位相変調器２２−２〜２２−４の出力側に配置しても良い。
【００２０】
なお、本実施例では、位相変調器２２−１〜２２−４による被変調波は、互いに重なり合っても良い。このような重なりが生じても、光源１２のコヒーレンス時間を越える時間差Ｔｓ，２Ｔｓ，３Ｔｓだけ離れていることで、他の被変調波からの重なりは、後述するように、光受信装置４０における干渉検波で除去されるからである。
【００２１】
データＤ１〜Ｄ４のデータレートは互いに等しい。基本遅延時間Ｔｓは、コヒーレンス時間以上に時間軸上で離れていれば良く、光源１２の時間軸方向での可干渉性がなくなる程度に長ければ良い。基本遅延時間Ｔｓは、実際の実験では例えば、４０ｐｓ程度、離れていれば十分であった。光遅延器２０−２〜２０−４の遅延時間は正確にＴｓの整数倍で無くても良く、各位相変調器２２−１〜２２−４から出力される被位相変調光が、他の位相変調器２２−１〜２２−４から出力される被位相変調光と完全に重なるということが無ければ良い。勿論、それぞれの信号搬送部分が完全に離れているのが好ましい。
【００２２】
また、光源１２がパルス光源の場合、そのパルス繰り返し周波数をデータＤ１〜Ｄ４のデータレートと等しくしつつ、パルス幅を多重チャネルに応じて小さくする。また、この場合、位相変調器２２−１〜２２−４に印加されるデータＤ１〜Ｄ４を、光源１２のパルス出力と同期させる。
【００２３】
偏波合波器２６は、光合波器２４の出力光に偏波ビームスプリッタ１６からのＴＭ波を、互いに直交偏波状態で合波する。光バンドパスフィルタ２８は、偏波合波器２６から不要な波長成分を除外して、光ファイバ伝送路３０に出力する。光バンドパスフィルタ２８の中心波長及び通過帯域は、光バンドパスフィルタ１４のそれと同じである。
【００２４】
光ファイバ伝送路３０を伝搬した信号光は、光受信装置４０に入射し、光増幅器４２で増幅される。光バンドパスフィルタ４４は、光増幅器４２の出力信号光から不要な波長成分を除外した信号光を偏波制御装置４６に入射する。光バンドパスフィルタ４４の中心波長及び通過帯域は、光バンドパスフィルタ１４，２８のそれと同じである。
【００２５】
偏波制御装置４６は、光ファイバ伝送路３０での伝搬過程での偏波の回転を補償するために配置され、本実施例では、チャネル１（データＤ１）の受信結果により、データＤ１の受信結果におけるエラーが低減するように制御される。偏波制御装置４６は、偏波制御した受信信号光を光分波器４８に供給する。
【００２６】
光分波器４８は、偏波制御装置４６からの受信信号光を４分割し、それぞれをＰＭ復調器５０−１〜５０−４に供給する。ＰＭ復調器５０−１〜５０−４は、内蔵される光遅延器５４の遅延時間τが異なることを除いて、同じ構成からなる。ＰＭ復調器５０−１〜５０−４の光遅延器５４の遅延時間は、光送信装置１０における各チャネルの時間軸上の配置、即ち、光遅延器２０−２〜２０−４の遅延時間と対応する。ＰＭ復調器５０−１の光遅延器５４の遅延時間τはゼロであり、実質的には，光遅延器５４を設けないが、他のＰＭ復調器５０−２〜５０−４との対比上、図示してある。ＰＭ復調器５０−２〜５０−４の光遅延器５４の遅延時間τは、それぞれ、Ｔｓ，２Ｔｓ及び３Ｔｓである。
【００２７】
ＰＭ復調器５０−１を例に、その動作を説明する。偏波ビームスプリッタ５２は、光分波器４８からの受信信号光を互いに直交する２つの偏波成分（ＴＥ成分とＴＭ成分）に分離する。偏波ビームスプリッタ５２で分離されたＴＭ成分は、偏波ビームスプリッタ１６で分離されたパイロット信号に対応し、光遅延器５４を介してＰＭ／ＡＭ変換器５８に入射する。他方、偏波ビームスプリッタ５２で分離されたＴＥ成分は、位相変調器２２−１の出力光に対応し、半波長板５６によりＴＭ偏波に変換されて、ＰＭ／ＡＭ変換器５８に入射する。結局、ＰＭ／ＡＭ変換器５８には、被位相変調光とその参照光が同じタイミングに同じ偏波方向で入射することになり、両光を合波することで、被位相変調光を被強度変調光に変換できる。ＱＰＳＫを適用している場合、ＰＭ／ＡＭ変換器５８は、被位相変調光の位相をπだけシフトして参照光と合波する合波器と、被位相変調光の位相をπ／２だけシフトして参照光と合波する合波器の２つの合波器からなる。このようなＰＭ／ＡＭ変換器５８の構成自体は周知であるので、これ以上の説明を省略する。
【００２８】
受光器６０は、ＰＭ／ＡＭ変換器５８からの強度変調された信号光を電気信号に変換する。受光器６０は、単一の受光素子からなる構成でもよいが、２つの受光素子を直列接続した構成のバランスト光受信器であってよい。エラー検出訂正回路６２は、受光器６０の出力データのエラーを検出又は訂正する。エラー検出訂正回路６２はまた、受光器６０の出力データのエラー状況に応じて、このエラーが少なくなるように、偏波制御装置４６を制御する。即ち、偏波制御装置４６は、受光器６０の出力データのエラーが少なくなるように、光バンドパスフィルタ４４の出力光の偏波を回転する。
【００２９】
このように、本実施例では、パイロット信号を伝送信号と同時に送り、受信側でコヒーレント検波を行う通信方式において，非コヒーレントな光源を用いることにより，検波可能な時間が短いものになり、時分割多重された伝送信号を受信側で分離して復調可能になる。スペクトル線幅が小さくコヒーレント性が高い光源を使った場合に干渉を惹き起こすような時間的に離れた伝送信号も、本実施例では、雑音とみなすことができるからである。これは、無線通信における符号分割におけるランダム性の性質と同じである。これにより、本実施例では、安価な光源を使って、大容量のデータ伝送を実現できる。
【００３０】
光ファイバ伝送路３０を使用する実施例を説明したが、本実施例は、光空間伝送の場合にも適用できる。また、位相変調を使用する実施例を説明したが、強度変調を使用することも可能である。その場合、ＰＭ／ＡＭ変換器５８の代わりに、単に、光遅延器５４と半波長板５６の各出力光を互いに干渉させる干渉計を配置すれば良い。同じ時間上に重なっている他のデータの被変調波成分は、干渉により除去される。
【実施例２】
【００３１】
図２は、本発明の第２実施例の概略構成ブロック図を示す。図３は、送信側のタイミングチャートを示し、図４は、受信側のタイミングチャートを示す。なお、本実施例では、互いに異なる時間の光キャリアの変調光を同一時間上で多重し、このような光波を更に、異なる時間軸上で多重し、これにより４つのデータＤ１〜Ｄ４を並列伝送する。
【００３２】
光送信装置１１０の駆動回路１１２は、周波数／３Ｔｓ（Ｈｚ）、パルス幅ＴｓでＡＳＥ光源１１４をパルス駆動する。光バンドパスフィルタ１１６は、ＡＳＥ光源１１４の出力光から帯域幅３ｎｍ程度を抽出して光分波器１１８に供給する。図２（ａ）は、ＡＳＥ光源１１４の出力光のパルスタイミングを示す。
【００３３】
光分波器１１８は、光バンドパスフィルタ１１６の出力光を５分割する。第１の分割光はパイロット信号として、そのまま受信側に伝送される。第２、第３、第４及び第５の分割パルス光は、データＤ２〜Ｄ４を搬送するのに使用される。即ち、第２の分割パルス光は、直接、変調器１２２−１に入力する。第３の分割パルス光は、３Ｔｓの光遅延器１２０−１を介して変調器１２２−２に入力する。第４の分割パルス光は、直接、変調器１２２−３に入力する。第４の分割パルス光は、３Ｔｓの光遅延器１２０−２を介して変調器１２２−４に入力する。変調器１２２−１〜１２２−４の変調方式は、位相変調に限らず、強度変調でもよい。
【００３４】
タイミング制御回路１２４は、送信すべきデータＤ１〜Ｄ４を駆動回路１１２によるＡＳＥ光源１１４の駆動に同期させて、変調器１２２−１〜１２２−４に供給する。変調器１２２−１〜１２２−４は、タイミング制御回路１２４からのデータＤ１〜Ｄ４に従い、それぞれの入射光キャリアを変調する。
【００３５】
変調器１２２−１，１２２−２の出力光はそれぞれ、光遅延器１２６−１，１２６−２で時間Ｔｓだけ遅延されて光合波器１２８に入射する。また、変調器１２２−３，１２２−４の出力光はそれぞれ、光遅延器１２６−３，１２６−４で時間２Ｔｓだけ遅延されて光合波器１２８に入射する。
【００３６】
光合波器１２８は、光分波器１１８による第１の分割パルス光（パイロット信号）に、光遅延器１２６−１〜１２６−４の出力光を時分割多重する。図２（ｂ）〜（ｅ）は、光遅延器１２６−１〜１２６−４から出力される被変調波Ｗ１〜Ｗ４のタイミングを示す。図２で、Ｄ１，０〜Ｄ１，６はデータＤ１のビット値を示し、同様に、Ｄ２，０〜Ｄ２，６はデータＤ２のビット値を示し、Ｄ３，０〜Ｄ３，６はデータＤ３のビット値を示し、Ｄ４，０〜Ｄ４，６は、データＤ４のビット値を示す。理解しやすいように、どのデータがどのパイロット信号パルスＰ０〜Ｐ６で搬送されるかも、同時に図示してある。図３（ｆ）は、光合波器１２８の出力光のタイミングチャートを示す。光分波器１２８は、このように多重した伝送光を光ファイバ伝送路１３０に出力する。
【００３７】
同じ遅延時間Ｔｓの光遅延器１２６−１，１２６−２により、被変調波Ｗ１，Ｗ２が同じタイムスロット上に位置する。但し、変調器１２２−２の光キャリアを、変調器１２２−２の光キャリアに対して光遅延器１２０−１で３Ｔｓだけ遅延しているので、受信側において、データＤ１，Ｄ２を互いに分離できる。データＤ３，Ｄ４についても同様であるが、光遅延器１２６−３，１２６−４の遅延時間を、光遅延器１２６−１，１２６−２の遅延時間Ｔｓとは異なる２Ｔｓとすることで、時間軸上で分離可能としている。
【００３８】
光ファイバ伝送路１３０を伝搬した伝送光は、光受信装置１４０の光分波器１４２に入射する。
【００３９】
本実施例では、パイロット信号Ｐにより区分される１フレームは３タイムスロット、即ち３Ｔｓからなり、１フレーム内の最初のタイムスロットにパイロット信号パルスＰが配置され、後続の２つのタイムスロットのそれぞれにデータ光が配置される。パイロット信号はフレーム開始パルスとも言える。また、１つのタイムスロットには、２つのデータが多重される。１フレームのタイムスロット数は例示であり、適宜に選択され得る。
【００４０】
光受信装置１４０の光分波器１４２は、光ファイバ伝送路１３０からの信号光を２分割し、一方を光スイッチからなる光分離装置（Ｏ−ＤＥＭＵＸ）１４４に供給し、他方を光分離装置１４４の切替えタイミングを制御するタイミング制御回路１６６に供給する。
【００４１】
タイミング制御回路１６６は、光分波器１４２からの受信信号光から周波数１／Ｔｓのクロックパルスを再生する。伝送信号光は、図３（ｆ）に示すように、パイロット信号パルスのフレーム周期を示す成分を具備する。これを利用し、タイミング制御回路１６６は、フレーム開始点も検出する。例えば、１ビット遅延のマッハツェンダ干渉計によりパイロット信号Ｐを分離して検出できるので、これにより、フレームの開始タイミングを検出できる。タイミング制御回路１６６は、再生したクロック及び検出したフレーム開始点に従い、光分離装置１４４に各タイムスロットの信号光を分離させる。
【００４２】
光分離装置１４４は、１フレームの各タイムスロットの光波を分離する。最初のタイムスロットに位置する信号光は、パイロット信号光パルスである。分離されたパイロット信号光パルスは光分波器１４６により２分割され、光分波器１４６の一方の出力光が遅延時間Ｔｓの光遅延器１４８に入力し、他方の出力光が、遅延時間２Ｔｓの光遅延器１５０に入力する。光遅延器１４８の出力光は、光分波器１５２により２分割され、光分波器１５２の一方の出力光がマッハツェンダ干渉計を使う復調器１６４−１の一方の入力に入力し、他方の出力光が、遅延時間３Ｔｓの光遅延器１５４を介して、マッハツェンダ干渉計を使う復調器１６４−２の一方の入力に入力する。同様に、光遅延器１５０の出力光は、光分波器１５６により２分割され、光分波器１５６の一方の出力光がマッハツェンダ干渉計を使う復調器１６４−３の一方の入力に入力し、他方の出力光が、遅延時間３Ｔｓの光遅延器１５８を介して、マッハツェンダ干渉計を使う復調器１６４−４の一方の入力に入力する。
【００４３】
光分離装置１４４は、１フレームの２番目のタイムスロットに位置する信号光を分離して光分波器１６０に供給し、光分波器１６０は、光分離装置１４４からの信号光を２分割し、一方を復調器１６４−１の第２の入力に供給し、他方を復調器１６４−２の第２の入力に供給する。
【００４４】
光分離装置１４４は、１フレームの３番目のタイムスロットに位置する信号光を分離して光分波器１６２に供給し、光分波器１６２は、光分離装置１４４からの信号光を２分割し、一方を復調器１６４−３の第２の入力に供給し、他方を復調器１６４−４の第２の入力に供給する。
【００４５】
図４（ａ）は、光ファイバ伝送路１３０から光受信装置１４０に入力する伝送光のタイミングチャートを示す。光ファイバ伝送路１３０による遅延を除き、図３（ｆ）と同じである。図４（ｂ）は、光分波器１５２から復調器１６４−１に入射する受信波Ａ１のタイミングチャートを示す。図４（ｃ）は、光遅延器１５４から復調器１６４−１に入射する受信波Ｂ１のタイミングチャートを示す。受信波Ａ１，Ｂ１は、光分離装置１４４で分離されたパイロット信号パルスを起源としており、受信波Ｂ１は、光遅延器１５４の遅延時間だけ、時間軸上で受信波Ａ１より遅れている。
【００４６】
図４（ｄ）は、光分波器１６０で分割されて、復調器１６４−１，１６４−２に入力する受信波Ａ２（Ｂ２）のタイミングチャートを示す。１フレームの２番目のタイムスロットに位置する信号光であるから、被変調波Ｗ１、Ｗ２の両方の成分を含む。
【００４７】
復調器１６４−１は、マッハツェンダ干渉計により受信波Ａ１と受信波Ａ２を干渉させることで、データＤ１を自己ホモダイン検波する。ＡＳＥ光源１１４の出力光の内、光波Ｐ１と光波Ｐ０は、時間軸上で、コヒーレンス時間以上離れている。即ち、光波Ｐ１と光波Ｐ０は、干渉するには時間的に離れすぎている。従って、復調器１６４−１は、マッハツェンダ干渉計の干渉作用により、同じ時刻の光波で搬送される信号を分離する。受信波Ａ２に含まれるデータＤ２を搬送する成分は、マッハツェンダ干渉計の干渉作用において雑音と同視される。このような作用により、復調器１６４−１は、データＤ１を精度よく復元できる。同様に、復調器１６４−２はデータＤ２を復元できる。
【００４８】
復調器１６４−３，１６４−４の作用も、復調器１６４−１、１６４−２の作用と同様であり、復調器１６４−３は、データＤ３を復元でき、復調器１６４−４はデータＤ４を復元できる。
【００４９】
なお、光ファイバ伝送路１３０を使用する実施例を説明したが、本実施例は、光空間伝送の場合にも適用できる。
【実施例３】
【００５０】
図５は、図２に示す実施例をより一般化した構成の概略構成ブロック図を示す。同じ光パルス内でも、コヒーレンス時間以上離れた光部分間では、干渉は発生せず、干渉検波により互いに分離可能であることを使用する。実施例２では、この点を利用する。即ち、実施例１では、同じタイムスロット上に配置するデータに対しては、変調のためのキャリア光を１フレーム周期、即ち、３Ｔｓだけシフトしたが、実施例２では、同じ光パルスから、コヒーレンス時間（τ）以上離れた光パルス部分を使用する。図５で、図２に示す実施例と同じ構成要素には同じ符号を付してある。図６は、光送信装置１１０ａのタイミングチャートを示し、図７は、光受信装置１４０ａにおけるタイミングチャートを示す。
【００５１】
光送信装置１１０ａの光送信装置１１０に対する変更部分を説明する。光送信装置１１０ａの駆動回路１１２は、周波数／３Ｔｓ（Ｈｚ）、パルス幅ＴｓでＡＳＥ光源１１４をパルス駆動する。パルス幅Ｔｓは、光バンドパスフィルタ１１６は、ＡＳＥ光源１１４の出力光から帯域幅３ｎｍ程度を抽出して光分波器１１８に供給する。図６（ａ）は、ＡＳＥ光源１１４の出力光のパルスタイミングを示す。パルス幅Ｔｓは、光バンドパスフィルタ１１６の出力光のコヒーレンス時間以上であること、より具体的には、受信側で干渉検波が可能な時間幅とコヒーレンス時間の和以上であればよい。
【００５２】
光分波器１１８は、光バンドパスフィルタ１１６の出力光を３分割する。第１の分割光はパイロット信号として、そのまま受信側に伝送される。第２の分割パルス光は、ゲート回路１７０に供給され、第３の分割光パルス光は、時間τの光遅延器１７２を介してゲート回路１７４に供給される。光遅延器１７２の遅延時間τは、上述の通りコヒーレンス時間以上の固定値に設定される。光遅延器１７２及びゲート回路１７０，１７４は、パイロット信号光パルスＰ０，Ｐ１，・・・から、その前側部分と後側部分を切り出す回路として機能する。タイミング制御回路１２４ａがゲート回路１７０，１７２に切り出し範囲を指示するゲート制御信号を供給する。
【００５３】
図６（ｂ）は、ゲート回路１７０，１７２に供給されるゲート制御信号を示す。ゲート回路１７０，１７４は、ゲート制御信号が高（Ｈ）の間の入射光を透過する。図６（ｄ）は、ゲート回路１７０から出力される光キャリアＣ１を示し、図６（ｅ）はゲート回路１７４から出力される光キャリアＣ２を示す。図６では、ゲート回路１７０によりパルスＰ０，Ｐ１から切り出されるパルス前側部分をＰ０ａ，Ｐ１ａと表記し、ゲート回路１７４によりパルスＰ０，Ｐ１から切り出されるパルス後側部分をＰ０ｂ，Ｐ１ｂと表記している。また、図６では、ゲート回路１７０，１７４で除去された光パルス部分を斜線で示してある。
【００５４】
光分波器１７６は、ゲート回路１７０の出力光Ｃ１を２分割し、一方を変調器１２２−１に供給し、他方を変調器１２２−３に供給する。また、光分波器１７８は、ゲート回路１７４の出力光Ｃ２を２分割し、一方を変調器１２２−２に供給し、他方を変調器１２２−４に供給する。変調器１２２−１〜１２２−４は、実施例２と同様に、タイミング制御回路１２４ａからのデータＤ１〜Ｄ４に従い入射光を変調する。実施例２と同様に、変調器１２２−１〜１２２−４の変調方式は、位相変調に限らず、強度変調でもよい。
【００５５】
実施例２と同様に、変調器１２２−１，１２２−２の出力光はそれぞれ、光遅延器１２６−１，１２６−２で時間Ｔｓだけ遅延されて光合波器１２８に入射する。また、変調器１２２−３，１２２−４の出力光はそれぞれ、光遅延器１２６−３，１２６−４で時間２Ｔｓだけ遅延されて光合波器１２８に入射する。光合波器１２８は、光分波器１１８ａによる第１の分割パルス光（パイロット信号）に、光遅延器１２６−１〜１２６−４の出力光Ｗ１〜Ｗ４を時分割多重する。
【００５６】
図６（ｆ）〜（ｉ）は、光遅延器１２６−１〜１２６−４から出力される被変調波Ｗ１〜Ｗ４のタイミングを示す。図６で、Ｄ１，０，Ｄ１，１はデータＤ１のビット値を示し、同様に、Ｄ２，０，Ｄ２，１はデータＤ２のビット値を示し、Ｄ３，０，Ｄ３，１はデータＤ３のビット値を示し、Ｄ４，０，Ｄ４，１は、データＤ４のビット値を示す。理解しやすいように、どのデータがどのパイロット信号パルスＰ０，Ｐ１の前側部分Ｐ０ａ，Ｐ１ａ又は後側部分Ｐ０ｂ，Ｐ１ｂで搬送されるかも、同時に図示してある。図６（ｊ）は、光合波器１２８の出力光のタイミングチャートを示す。光合波器１２８は、このように多重した伝送光を光ファイバ伝送路１３０に出力する。
【００５７】
同じ遅延時間Ｔｓの光遅延器１２６−１，１２６−２により、被変調波Ｗ１，Ｗ２が同じタイムスロット上に位置する。但し、変調器１２２−１，１２２−１の光キャリアを同じパイロット信号パルスの後側部分と前側部分というように、相互に干渉しない程度以上に時間的に離してあるので、受信側において、データＤ１，Ｄ２を互いに分離できる。データＤ３，Ｄ４についても同様である。光遅延器１２６−３，１２６−４の遅延時間を、光遅延器１２６−１，１２６−２の遅延時間Ｔｓとは異なる２Ｔｓとすることで、データＤ１，Ｄ２とデータＤ３，Ｄ４を時間軸上で分離可能としている。
【００５８】
このように、実施例２でも、パイロット信号Ｐにより区分される１フレームは３タイムスロット、即ち３Ｔｓからなり、１フレーム内の最初のタイムスロットにパイロット信号パルスＰが配置され、後続の２つのタイムスロットのそれぞれにデータ光が配置される。パイロット信号はフレーム開始パルスとも言える。また、１つのタイムスロットには、２つのデータが多重される。１フレームのタイムスロット数は例示であり、適宜に選択され得る。
【００５９】
光ファイバ伝送路１３０を伝搬した伝送光は、光受信装置１４０ａの光分波器１４２に入射する。光受信装置１４０ａでは、光遅延器１５４ａ，１５８ａの遅延時間をτに設定し、受信したパイロット信号からパルス前側部分と後側部分を切り出すためのゲート回路１８０−１〜１８０−４を設けている。タイミング制御回路１６６ａが、ゲート回路１８０−１〜１８０−４の通過時間、即ち、切り出し期間を制御する。
【００６０】
光受信装置１４０の光分波器１４２及び光分離装置１４４の作用は、実施例２と同じである。光分離装置１４４は、タイミング制御回路１６６からの制御信号に従い、１フレーム期間の各タイムスロット期間の光信号を分離し、図７（ｂ），（ｃ），（ｄ）に示すようなタイミングで出力する。図７（ｂ）は、光分離装置１４４で分離されるパイロット信号光を示す。図７（ｃ）は、２番目のタイムスロット期間でデータＤ１，Ｄ２を搬送する光信号成分を示す。図７（ｄ）は、３番目のタイムスロット期間でデータＤ３，Ｄ４を搬送する光信号成分を示す。
【００６１】
光分離装置１４４で分離されたパイロット信号光パルスは光分波器１４６により２分割され、光分波器１４６の一方の出力光が遅延時間Ｔｓの光遅延器１４８に入力し、他方の出力光が、遅延時間２Ｔｓの光遅延器１５０に入力する。光遅延器１４８の出力光は、光分波器１５２により２分割され、光分波器１５２の一方の出力光がゲート回路１８０−１を介して復調器１６４−１の一方の入力に入力し、他方の出力光が、遅延時間τの光遅延器１５４ａ及びゲート回路１８０−２を介して復調器１６４−２の一方の入力に入力する。同様に、光遅延器１５０の出力光は、光分波器１５６により２分割され、光分波器１５６の一方の出力光がゲート回路１８０−３を介して復調器１６４−３の一方の入力に入力し、他方の出力光が、遅延時間τの光遅延器１５８及びゲート回路１８０−４を介して復調器１６４−４の一方の入力に入力する。
【００６２】
実施例２と同様に、光分離装置１４４により分離された２番目のタイムスロットの信号光は、光分波器１６０により２分割され、その一方の分割光が復調器１６４−１の第２の入力に入力し、他方の分割光が復調器１６４−２の第２の入力に入力する。また、光分離装置１４４により分離された３番目のタイムスロットの信号光は、光分波器１６２により２分割され、その一方の分割光が復調器１６４−３の第２の入力に入力し、他方の分割光が復調器１６４−４の第２の入力に入力する。
【００６３】
ゲート回路１８０−１，１８０−２及び光遅延器１５４ａからなる回路装置は、送信側のゲート回路１７０、１７４及び光遅延器１７２からなる回路構成と同様に、パルス幅Ｔｓのパイロット信号光から、パルス幅Ｔｓ−τの前側部分とパルス幅Ｔｓ−τの後側部分を切り出す回路として機能する。ゲート回路１８０−３，１８０−４及び光遅延器１５８ａからなる回路装置も同様である。タイミング制御回路１６６ａは、このような切り出しのためのゲート制御信号をゲート回路１８０−１〜１８０−４に供給する。
【００６４】
図７（ｅ）は、ゲート回路１８０−１，１８０−２に対するタイミング制御回路１６６ａからのゲート制御信号のタイミング図を示す。図７（ｆ）は、ゲート回路１８０−１の出力光のタイミング図を示す。図７（ｇ）はゲート回路１８０−２の出力光のタイミング図を示す。
【００６５】
復調器１６４−１は、図７（ｆ）に示す受信波Ａ１と、図７（ｃ）に示す受信波Ａ２とを干渉させる。図７（ｃ）に示す受信波Ａ２が含む光波Ｐ０ａと光波Ｐ０ｂの内の、光波Ｐ０ｂが、図７（ｆ）に示す受信波Ａ１が含む光波Ｐ０ｂと干渉するので、復調器１６４−１は、図７（ｃ）に示す受信波Ａ２が含む光波Ｐ０ｂが搬送するデータＤ１，０，Ｄ１，１を検波し、出力する。図７（ｃ）に示す受信波Ａ２が含む光波Ｐ０ａは、ノイズ光となる。
【００６６】
復調器１６４−２は、図７（ｇ）に示す受信波Ｂ１と、図７（ｃ）に示す受信波Ａ２とを干渉させる。図７（ｃ）に示す受信波Ａ２が含む光波Ｐ０ａと光波Ｐ０ｂの内の、光波Ｐ０ａが、図７（ｆｇ）に示す受信波Ｂ１が含む光波Ｐ０ａと干渉するので、復調器１６４−２は、図７（ｃ）に示す受信波Ａ２が含む光波Ｐ０ａが搬送するデータＤ２，０，Ｄ２，１を検波し、出力する。図７（ｃ）に示す受信波Ａ２が含む光波Ｐ０ｂは、ノイズ光となる。
【００６７】
復調器１６４−３，１６４−４の作用も、復調器１６４−１、１６４−２の作用と同様であり、復調器１６４−３は、データＤ３を復元でき、復調器１６４−４はデータＤ４を復元できる。
【００６８】
光ファイバを伝送路とする場合を例示したが、本発明は、光空間伝搬の場合にも適用可能である。
【００６９】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００７０】
【図１】本発明の実施例１の概略構成ブロック図である。
【図２】本発明の実施例２の概略構成ブロック図である。
【図３】実施例２の送信側のタイミングチャートである。
【図４】実施例２の受信側のタイミングチャートである。
【図５】本発明の実施例３の概略構成ブロック図である。
【図６】実施例３の送信側のタイミングチャートである。
【図７】実施例４の受信側のタイミングチャートである。
【符号の説明】
【００７１】
１０：光送信装置
１２：光源
１４：光バンドパスフィルタ（ＯＢＰＦ）
１６：偏波ビームスプリッタ
１８：光分波器
２０−２〜２０−４：光遅延器
２２−１〜２２−４：位相変調器
２４：光合波器
２６：偏波合波器
２８：光バンドパスフィルタ
３０：光ファイバ伝送路
４０：光受信装置
４２：光増幅器
４４：光バンドパスフィルタ
４６：偏波制御装置
４８：光分波器
５０−１〜５０−４：ＰＭ復調器
５２：偏波ビームスプリッタ
５４：光遅延器
５６：半波長板
５８：ＰＭ／ＡＭ変換器
６０：受光器
６２：エラー検出訂正回路
１１０，１１０ａ：光送信装置
１１２：駆動回路
１１４：ＡＳＥ光源
１１６：光バンドパスフィルタ
１１８，１１８ａ：光分波器
１２０−１，１２０−２：光遅延器
１２２−１〜１２２−４：変調器
１２４，１２４ａ：タイミング制御回路
１２６−１〜１２６−４：光遅延器
１２８：光合波器
１３０：光ファイバ伝送路
１４０，１４０ａ：光受信装置
１４２：光分波器
１４４：光分離装置（Ｏ−ＤＥＭＵＸ）
１４６：光分波器
１４８，１５０：光遅延器
１５２：光分波器
１５４，１５４ａ：光遅延器
１５６：光分波器
１５８，１５８ａ：光遅延器
１６０，１６２：光分波器
１６４−１〜１６４−４：復調器
１６６，１６６ａ：タイミング制御回路
１７０：ゲート回路
１７２：光遅延器
１７４：ゲート回路
１８０−１〜１８０−４：ゲート回路
【図１】
0005139159.tif 000002
【図２】
0005139159.tif 000003
【図３】
0005139159.tif 000004
【図４】
0005139159.tif 000005
【図５】
0005139159.tif 000006
【図６】
0005139159.tif 000007
【図７】
0005139159.tif 000008